(57)【要約】【課題】本発明は、簡単な構成で短時間かつ容易に棚板の高さを設定させるようにする。【解決手段】本発明は、左側板５、右側板６、天板７及び床板８で囲まれた収納空間を有するテレビ台１と、左側板５及び右側板６の内面に対して高さ方向へ一定間隔おき、かつ左側板５及び右側板６の内面の同じ高さに設けられた複数のダボ穴１１及びダボ穴１２と、一定個数毎のダボ穴１１及びダボ穴１２に隣接し、かつ隣接したダボ穴１１及びダボ穴１２と同じ高さに目印穴１３及び目印穴１４を設けることにより、ダボ穴１１又はダボ穴１２にダボ１５を挿入させる際、ダボ穴１１及び目印穴１３の数、又はダボ穴１２及び目印穴１４の数を数えさせる合計回数を減らせることができ、かくして簡単な構成で短時間かつ容易に棚板の高さを設定できる。【選択図】図２
2009000431.tif 000002
【特許請求の範囲】
【請求項１】
左側板、右側板、天板及び床板で囲まれた収納空間を有する収納部と、
上記左側板及び上記右側板の内面に対して高さ方向へ一定間隔おき、かつ上記左側板及び上記右側板の内面の同じ高さに設けられた複数のダボ穴を有するダボ穴部と、
上記ダボ穴部における上記複数のダボ穴のうち、一定個数毎の各ダボ穴に隣接し、かつ当該一定個数毎の各ダボ穴と同じ高さに設けられた目印穴と
を具えることを特徴とする収納家具。
【請求項２】
上記目印穴は、上記ダボ穴と同形状に形成された
ことを特徴とする請求項１に記載の収納家具。
【請求項３】
上記ダボ穴部は、
上記左側板及び上記右側板の内面における前縁を基準として、高さ方向へ一定間隔おきに設けられた複数のダボ穴と、上記左側板及び上記右側板の内面における後縁を基準として、高さ方向へ一定間隔おきに設けられた複数のダボ穴とを有する
ことを特徴とする請求項１に記載の収納家具。
【請求項４】
上記ダボ穴に一部が嵌着し、残部が突出した状態のダボ部と、
上記左側板と上記右側板との間に、上記ダボ部の突出した部分に支持されることにより架設された棚板部と
を具えることを特徴とする請求項１に記載の収納家具。
【請求項５】
上記目印穴に上記ダボ部の一部を嵌着させることにより上記ダボ穴の突出した部分が、上記目印穴と同じ高さに設けられた上記ダボ穴に嵌着した上記ダボ部の突出した部分と共に上記棚板部を支持する
ことを特徴とする請求項４に記載の収納家具。
【発明の詳細な説明】
【技術分野】
【０００１】
本発明は、収納家具に関し、例えばテレビジョン受像機を載置するための載置台（以下、これをテレビ台と呼ぶ。）に適用して好適なものである。
【背景技術】
【０００２】
従来、収納棚においては、収納棚に収納される収納物品の高さに応じて、底面から棚板までの高さを変更するために左側板及び右側板の対向する内面に高さ方向へ複数個、かつ高さ方向と垂直な方向にそれぞれ２個ダボ穴を設けられたものがある（例えば、特許文献１参照）。
【０００３】
このような収納棚は、左側板及び右側板の内面にそれぞれ２個ある同じ高さのダボ穴にそれぞれダボを突出して嵌着させ、突出したダボにより棚板を水平に支持することにより、棚板を架設するようになされている。
【０００４】
またテレビ台においても、ＶＴＲ（Video Tape Recorder）、ＤＶＤ（Digital Versatile Disc）レコーダ、ゲーム機等のテレビ周辺機器を載置するために左側板と右側板との間に棚板が架設されたものがある。
【０００５】
このためテレビ台は、任意高さのダボ穴にダボを嵌着させ、ダボを介して棚板を架設することにより、棚板の高さを所望高さに調節できるようになされている。
【特許文献１】特開2001-8761公報
【発明の開示】
【発明が解決しようとする課題】
【０００６】
ところでかかる構成のテレビ台においては、棚板の高さを設定させる場合、同じ高さのダボ穴を探させる方法として、最上段又は最下段のダボ穴から所望高さのダボ穴までダボ穴の数を数えさせる必要があり、面倒な作業をユーザに対して強いるという問題があった。
【０００７】
本発明は以上の点を考慮してなされたもので、簡単な構成で短時間かつ容易に棚板の高さを設定させ得る収納家具を提案しようとするものである。
【課題を解決するための手段】
【０００８】
かかる課題を解決するため本発明においては、左側板、右側板、天板及び床板で囲まれた収納空間を有する収納部と、左側板及び右側板の内面に対して高さ方向へ一定間隔おき、かつ左側板及び右側板の内面の同じ高さに設けられた複数のダボ穴を有するダボ穴部と、ダボ穴部における複数のダボ穴のうち、一定個数毎の各ダボ穴に隣接し、かつ一定個数毎の各ダボ穴と同じ高さに設けられた目印穴とを設けるようにした。
【０００９】
これにより、所望高さのダボ穴を探させる際、最上段又は最下段の目印穴から所望高さのダボ穴に最も近い目印穴まで目印穴の数を数えさせた後、その目印穴に隣接したダボ穴から所望高さのダボ穴までダボ穴の数を数えさせることができるので、ダボ穴及び目印穴の数を数えさせる合計回数を減らすことができる。
【発明の効果】
【００１０】
本発明によれば、所望高さのダボ穴を探させる際、最上段又は最下段の目印穴から所望高さのダボ穴に最も近い目印穴まで目印穴の数を数えさせた後、その目印穴に隣接したダボ穴から所望高さのダボ穴までダボ穴の数を数えさせることができるので、ダボ穴及び目印穴の数を数えさせる合計回数を減らすことができ、かくして簡単な構成で短時間かつ容易に棚板の高さを設定させ得る収納家具を実現できる。
【発明を実施するための最良の形態】
【００１１】
以下に、図面について、本発明の一実施の形態を詳述する。
【００１２】
（１）テレビ台の全体構成
図１に示すように、テレビ台１は、主に左側板５、右側板６、天板７及び床板８で構成されており、略直方体形状を形成している。
【００１３】
またテレビ台１は、左側板５、右側板６、天板７及び床板８に囲まれた収納空間内の左側板５と右側板６との間に棚板９が２枚架設されている。棚板９は、左側板５及び右側板６の内面に設けられたダボ穴（詳しくは後述する）に嵌着されたダボ（図示せず）によって支持されている。
【００１４】
さらにテレビ台１は、床板８の下面４隅にそれぞれキャスタ１０が設けられており、テレビ台１を容易に動かせ得るようになされている。
【００１５】
ところでテレビ台１は、天板７の上面にテレビジョン受像機２（以下、これをテレビと呼ぶ。）が載置されるようになされており、ユーザに対してテレビ２を見やすい高さに保持することができるようになされている。
【００１６】
またテレビ台１は、収納空間に例えばＤＶＤレコーダ３及びゲーム機４をそれぞれ異なった棚板９の上面に載置できるようになされている。
【００１７】
（２）ダボ穴の構成
図２に示すように、テレビ台１の左側板５は、右側板６と対向する内面５Ａに、前縁５Ｂに沿って円形のダボ穴１１ＡＬ〜１１ＮＬが一定間隔おきに１４個設けられている。
【００１８】
また左側板５の内面５Ａには、後縁５Ｃと平行かつ離れた位置に円形のダボ穴１２ＡＬ〜１２ＮＬが一定間隔おきに１４個設けられている。
【００１９】
なお左側板５のダボ穴１１ＡＬ及びダボ穴１２ＡＬは、同じ高さに設けられており、前縁５Ｂに沿って設けられたダボ穴１１ＢＬ〜１１ＮＬも同様に、後縁５Ｃと平行かつ離れた位置に設けられたダボ穴１２ＢＬ〜１２ＮＬとそれぞれ同じ高さに設けられている。
【００２０】
右側板６には、左側板５のダボ穴１１ＡＬ〜１１ＮＬと対応する位置にダボ穴１１ＡＲ〜１１ＮＲ（図示せず）と、ダボ穴１２ＡＬ〜１２ＮＬと対応する位置にダボ穴１２ＡＲ〜１２ＮＲ（図示せず）とが設けられている。
【００２１】
（３）ダボ及び棚板の構成
図３に示すようにダボ１５は、円柱形のダボ挿入部１５Ａと、ダボ挿入部１５Ａより径の大きい円柱形をした棚板支持部１５Ｂとからなり、左側板５及び右側板６に設けられたダボ穴１１及びダボ穴１２にダボ１５を挿入される際、ダボ挿入部１５Ａの径がダボ穴１１及びダボ穴１２の径より小さいのに対して、棚板支持部１５Ｂの径はダボ穴１１及びダボ穴１２の径より大きいので、ダボ穴１１及びダボ穴１２にダボ挿入部１５Ａのみが挿入されるようになされている。
【００２２】
例えばダボ穴１１及びダボ穴１２の上から４番目、すなわちダボ穴１１ＤＬ及びダボ穴１２ＤＬが存在する高さに棚板９を架設させる場合、ダボ穴１１ＤＬ及びダボ穴１２ＤＬに対してダボ挿入部１５Ａが挿入されることにより、左側板５にダボ１５が嵌着される。これによりダボ１５の棚板支持部１５Ｂは、テレビ台１の収納空間に突出するようになされている。同様に右側板６（図示せず）のダボ穴１１ＤＲ及びダボ穴１２ＤＲにもダボ装着部１５Ａが挿入されることにより、ダボ１５が右側板６に嵌着される。したがってダボ１５の棚板支持部１５Ｂは、テレビ台１の収納空間に突出するようになされている。
【００２３】
一方、棚板９の下面には、断面半円形の係合溝９Ａが左縁９Ｂ及び右縁９Ｃにそれぞれ２個設けられており、テレビ台１の収納空間内の同じ高さに突出した４個の棚板支持部１５Ｂに係合溝９Ａがそれぞれ係合することにより、棚板９が架設されるようになされている。
【００２４】
すなわち図３（Ｂ）に示すように棚板９は、ダボ１５のダボ挿入部１５Ａが左側板５に嵌着されることにより突出した棚板支持部１５Ｂに係合溝９Ａが係合し、ダボ１５に支持されるようになされている。
【００２５】
これにより棚板９は、ダボ穴１１及びダボ穴１２の任意高さの位置にダボ１５を嵌着させることにより、架設高さを調節させ得るようになされている。
【００２６】
（４）目印穴の構成
かかる構成に加えて左側板５の内面５Ａ（図２）には、前縁５Ｂに沿って設けられたダボ穴１１ＡＬ〜１１ＮＬの例えば５個毎、すなわちダボ穴１１ＥＬ及びダボ穴１１ＪＬと同じ高さで、かつダボ穴１１ＥＬ及びダボ穴１１ＪＬに隣接した後方向側に円形の目印穴１３ＡＬ及び目印穴１３ＢＬが設けられており、５個毎のダボ穴１１をユーザに対して容易に発見させるようになされている。
【００２７】
また左側板５の内面５Ａには、後縁５Ｃと平行かつ離れた位置に設けられたダボ穴１２ＡＬ〜１２ＮＬの５個毎、すなわちダボ穴１２ＥＬ及びダボ穴１２ＪＬと同じ高さで、かつダボ穴１２ＥＬ及びダボ穴１２ＪＬに隣接した後方向側に円形の目印穴１４ＡＬ及び目印穴１４ＢＬが設けられている。
【００２８】
なお左側板５の目印穴１３及び目印穴１４は、ダボ穴１１及びダボ穴１２と同じ径の穴が設けられており、加工時にダボ穴１１及びダボ穴１２と同時に加工され得るようになされている。
【００２９】
右側板６には、目印穴１３ＡＬ及び目印穴１３ＢＬと対応する位置に目印穴１３ＡＲ及び目印穴１３ＢＲ（図示せず）と、目印穴１４ＡＬ及び目印穴１４ＢＬと対応する位置に目印穴１４ＡＲ及び目印穴１４ＢＲ（図示せず）とが設けられている。
【００３０】
（５）ダボ穴捜索方法
次に任意高さのダボ穴１１を探す方法を従来と比較し、説明する。
【００３１】
図４（Ａ）に示すように従来、ダボ穴１１は、同じ径の穴が単に並べて設けられていたことにより、任意高さのダボ穴１１にダボ１５を挿入させ、棚板９の高さを調節させるだけでなく、任意高さのダボ穴１１を探させる目盛りの役割も兼ねていた。
【００３２】
そのため左側板５は、例えばダボ穴１１ＧＬを探させる場合、最上段のダボ穴１１ＡＬから順にダボ穴１１ＧＬまでダボ穴１１の数を数えさせるようになされていた（以下、従来法と呼ぶ。）。よって従来法では、ダボ穴１１の数を７回数えさせることになる。
【００３３】
一方図４（Ｂ）に示すように左側板５は、ダボ穴１１の５個毎にダボ穴１１に隣接して目印穴１３が設けられている。すなわち左側板５は、ダボ穴１１ＥＬ及びダボ穴１１ＪＬと同じ高さ、かつダボ穴１１ＥＬ及びダボ穴１１ＪＬに隣接した後方向側に目印穴１３ＡＬ及び目印穴１３ＢＬを設けることにより、上から順にダボ穴１１ＧＬに最も近い目印穴１３ＡＬまで目印穴１３の数を数えさせた後、目印穴１３ＡＬに隣接したダボ穴１１ＥＬからダボ穴１１ＧＬまでダボ穴１１の数を数えさせるようになされている（以下、本発明法と呼ぶ。）。
【００３４】
よって本発明法では、目印穴１３の数を１回数えさせた後、ダボ穴１１の数を２回数えさせるので、ダボ穴１１及び目印穴１３の数を合計３回数えさせることになる。
【００３５】
これにより本発明法では、ダボ穴１１ＧＬを探させる場合、従来法よりダボ穴１１及び目印穴１３の数を数えさせる合計回数を４回減らし得るようになされている。
【００３６】
（６）動作及び効果
以上の構成において、テレビ台１の左側板５は、ダボ穴１１ＥＬ及びダボ穴１１ＪＬと同じ高さ、かつダボ穴１１ＥＬ及びダボ穴１１ＪＬに隣接した後方向側に目印穴１３ＡＬ及び１３ＢＬを設けるようにした。同様に左側板５は、ダボ穴１２ＥＬ及びダボ穴１２ＪＬと同じ高さ、かつダボ穴１２ＥＬ及びダボ穴１２ＪＬに隣接した後方向側に目印穴１４ＡＬ及び１４ＢＬを設けるようにした。
【００３７】
すなわちテレビ台１の左側板５は、前縁５に沿って設けられたダボ穴１１ＡＬ〜１１ＮＬの５個毎に隣接して目印穴１３が設けられ、後縁５Ｃと並行かつ離れた位置に設けられたダボ穴１２ＡＬ〜１２ＮＬの５個毎に隣接して目印穴１４を設けるようにした。
【００３８】
同様にテレビ台１の右側板６にも、左側板５と対応する位置にダボ穴１１ＡＲ〜１１ＮＲ、ダボ穴１２ＡＲ〜１２ＮＲ、目印穴１３ＡＲ、目印穴１３ＢＲ、目印穴１４ＡＲ及び目印穴１４ＢＲを設けるようにした。
【００３９】
このためテレビ台１の左側板５は、所望高さのダボ穴１１を探させる際、従来は最上段又は最下段のダボ穴１１から所望高さのダボ穴１１までダボ穴１１の数を数えさせていたのに対して、目印穴１３を設けたことにより、最上段又は最下段の目印穴１３から所望高さのダボ穴１１に最も近い目印穴１３まで目印穴１３の数を数えさせた後、その目印穴１３に隣接したダボ穴１１から所望高さのダボ穴１１までダボ穴１１の数を数えさせるため、ダボ穴１１及び目印穴１３の数を数えさせる合計回数を減らすことができる。同様にテレビ台１の左側板５は、所望高さのダボ穴１２を探させる際、目印穴１４を設けたことにより、ダボ穴１２及び目印穴１４の数を数えさせる合計回数を減らすことができる。
【００４０】
また目印穴１３及び目印穴１４は、ダボ穴１１及びダボ穴１２と同じ形状をしているため、例えばシール等により目印を付す場合と比して、目印穴１３及び目印穴１４が目立つことなく、デザイン性を向上することができる。
【００４１】
さらに目印穴１３及び目印穴１４は、ダボ穴１１及びダボ穴１２と同じ形状をしているため、ダボ穴１１及びダボ穴１２が開けられる工程において、ダボ穴１１及びダボ穴１２と一緒に加工されることができ、別途の手法により目印穴１３及び目印穴１４を開けられる場合と比して、簡易かつ短時間に開けられることができる。
【００４２】
ところで目印穴１３及び目印穴１４が設けられた高さに棚板９が架設される場合、当該目印穴１３及び当該目印穴１４に隣接したダボ穴１１及びダボ穴１２と、当該目印穴１３及び当該目印穴１４とにダボ１５を挿入させるようにすれば、８個のダボ１５により棚板９を支持することができるので、より重い収納物品を載置した棚板９を支持することができる。
【００４３】
以上の構成によれば、テレビ台１は、左側板５及び右側板６に設けられたダボ穴１１及びダボ穴１２の５個毎に隣接して目印穴１３及び目印穴１４を設けることにより、ダボ穴１１又はダボ穴１２にダボ１５を挿入させる際、ダボ穴１１及び目印穴１３の数、又はダボ穴１２及び目印穴１４の数を数えさせる合計回数を減らせることができ、かくして簡単な構成で短時間かつ容易に棚板９の高さを設定させることができる。
【００４４】
（７）他の実施の形態
なお上述した実施の形態においては、左側板５と右側板６との間に棚板９が２枚設けられていたが、本発明はこれに限らず、左側板５と右側板６との間に棚板９が１枚、或いは複数枚設けられるようにしても良い。
【００４５】
また上述した実施の形態においては、床板８の床面４隅にキャスタ１０が設けられていたが、本発明はこれに限らず、床板８の床面にキャスタ１０を設けなくても良いし、単なる脚でも良い。
【００４６】
さらに上述した実施の形態においては、上下方向へ一定間隔おきにダボ穴１１ＡＬ〜１１ＮＬ及びダボ穴１２ＡＬ〜１２ＮＬの２列を左側板５の内面５Ａに設けるようにしたが、本発明はこれに限らず、上下方向に一定間隔おきにダボ穴を左側板５の内面５Ａに１列、或いは複数列設けるようにしても良い。
【００４７】
さらに上述した実施の形態においては、ダボ穴１１及びダボ穴１２を一定間隔おきに左側板５の内面５Ａにそれぞれ１４個設けるようにしたが、本発明はこれに限らず、ダボ穴１１及びダボ穴１２の数は幾つでも良い。
【００４８】
さらに上述した実施の形態においては、ダボ穴１１及びダボ穴１２の５個毎に目印穴１３及び目印穴１４を設けるようにしたが、本発明はこれに限らず、ダボ穴１１及びダボ穴１２の一定数個毎に目印穴１３及び目印穴１４を設けるようにするのであれば、その個数は幾つでも良い。
【００４９】
さらに上述した実施の形態においては、前縁５Ｂに沿ってダボ穴１１ＡＬ〜１１ＮＬと、後縁５Ｃと平行かつ離れた位置にダボ穴１２ＡＬ〜１２ＮＬと、ダボ穴１１ＥＬ及び１１ＪＬに隣接した後方向側に目印穴１３ＡＬ及び１３ＢＬと、ダボ穴１２ＥＬ及び１２ＪＬに隣接した後方向側に目印穴１４ＡＬ及び１４ＢＬとを左側板５の内面５Ａに設けるようにしたが、本発明はこれに限らず、図５に示すように、前縁１０５Ｂに沿ってダボ穴１１１ＡＬ〜１１１ＮＬと、後縁１０５Ｃに沿ってダボ穴１１２ＡＬ〜１１２ＮＬと、ダボ穴１１１ＥＬ及び１１１ＪＬに隣接した後方向側に目印穴１１３ＡＬ及び１１３ＢＬと、ダボ穴１１２ＥＬ及び１１２ＪＬに隣接した前方向側に目印穴１１４ＡＬ及び１１４ＢＬとを左側板１０５の内面１０５Ａに設けるようにしても良い。
【００５０】
さらに上述した実施の形態においては、ダボ穴１１及びダボ穴１２と同形状の目印穴１３及び目印穴１４を左側板５の内面５Ａに設けるようにしたが、本発明はこれに限らず、四角形、三角形等のその他種々の形状の目印穴１３及び目印穴１４を設けるようにしても良い。
【００５１】
さらに上述した実施の形態においては、ダボ穴１１及びダボ穴１２と同じ径の目印穴１３及び目印穴１４を左側板５の内面５Ａに設けるようにしたが、本発明はこれに限らず、ダボ穴１１及びダボ穴１２より大きい径、或いは小さい径の目印穴１３及び目印穴１４を設けるようにしても良い。
【００５２】
さらに上述した実施の形態においては、収納部としてのテレビ台１、ダボ穴部としてのダボ穴１１及びダボ穴１２、目印穴としての目印穴１３及び目印穴１４によって収納家具としてのテレビ台１を形成するようにした場合について述べたが、本発明はこれに限らず、その他種々の形状、サイズ及び構造でなる収納部、ダボ穴部及び目印穴を形成するようにしても良い。
【産業上の利用可能性】
【００５３】
本発明の収納家具は、例えばテレビ台以外の本棚、下駄箱等のその他種々の収納家具に適用することができる。
【図面の簡単な説明】
【００５４】
【図１】テレビが載置したテレビ台の構成を示す略線図である。
【図２】左側板の構成を示す略線図である。
【図３】棚板の架設の様子を示す略線図である。
【図４】ダボ穴探索方法を示す略線図である。
【図５】他の実施形態における左側板の構成を示す略線図である。
【符号の説明】
【００５５】
１……テレビ台、２……テレビ、３……ＤＶＤレコーダ、４……ゲーム機、５……左側板、６……右側板、７……天板、８……床板、９……棚板、１０……キャスタ、１１……ダボ穴、１２……ダボ穴、１３……目印穴、１４……目印穴、１５……ダボ。
【図１】
2009000431.tif 000003
【図２】
2009000431.tif 000004
【図３】
2009000431.tif 000005
【図４】
2009000431.tif 000006
【図５】
2009000431.tif 000007